(57)【要約】【課題】  機器を利用するユーザは、その機器の電源がオフされているのは、電力供給量がひっ迫しているためか、或いは、たまたま電源がオフにされているだけなのか区別できない。【解決手段】  ネットワークに接続する画像形成装置及びその制御方法であって、電力制御を指示する電力制御信号を前記ネットワークを介して受信すると、その電力制御信号に応じて画像形成装置の電源をオフにし、電力制御信号によって前記画像形成装置が電源オフとなったことを示す情報をユーザに提示する。【選択図】  図４
2014075925.tif 000002
【特許請求の範囲】
【請求項１】
ネットワークに接続可能な画像形成装置であって、
電力制御を指示する電力制御信号を前記ネットワークを介して受信する受信手段と、
前記受信手段により受信した前記電力制御信号に応じて、前記画像形成装置の電源をオフにするシャットダウン手段と、
前記電力制御信号によって前記画像形成装置が電源オフとなったことを示す情報をユーザに提示する提示手段と、
を有することを特徴とする画像形成装置。
【請求項２】
前記提示手段は、印刷物で前記情報をユーザに提示することを特徴とする請求項１に記載の画像形成装置。
【請求項３】
前記提示手段は、電源オフの状態でも表示可能な表示装置により前記情報をユーザに提示することを特徴とする請求項１に記載の画像形成装置。
【請求項４】
前記提示手段は、前記受信手段で受信した前記電力制御信号に従って前記情報を提示するとともに、前記電力制御信号に付随する追加情報を含めて提示することを特徴とする請求項１乃至３のいずれか１項に記載の画像形成装置。
【請求項５】
前記印刷物を排出する排出先を指定する指定手段を更に有することを特徴とする請求項２に記載の画像形成装置。
【請求項６】
前記追加情報は、代替して使用可能な画像形成装置を提示する情報であることを特徴とする請求項４に記載の画像形成装置。
【請求項７】
前記追加情報は、電力の復旧予定の時刻を提示する情報であることを特徴とする請求項４に記載の画像形成装置。
【請求項８】
ユーザの指示により前記画像形成装置の制御部に通電した状態で当該装置の電源をオフにする電源オフ手段を更に有し、
前記制御部は、前記電源オフ手段による電源オフの状態で前記受信手段により前記電力制御信号を受信すると、前記電力制御信号による電源オフであることを示す情報をユーザに提示するように前記提示手段を制御した後、前記画像形成装置の電源をオフにすることを特徴とする請求項１に記載の画像形成装置。
【請求項９】
ネットワークに接続可能な画像形成装置を制御する制御方法であって、
受信手段が、電力制御を指示する電力制御信号を前記ネットワークを介して受信する受信工程と、
シャットダウン手段が、前記受信工程で受信した前記電力制御信号に応じて、前記画像形成装置の電源をオフにするシャットダウン工程と、
提示手段が、前記電力制御信号によって前記画像形成装置が電源オフとなったことを示す情報をユーザに提示する提示工程と、
を有することを特徴とする画像形成装置の制御方法。
【請求項１０】
コンピュータに、請求項９の制御方法を実行させるためのプログラム。
【発明の詳細な説明】
【技術分野】
【０００１】
本発明は、電力供給量の変化に応じて電源制御を行う画像形成装置及びその制御方法、並びにプログラムに関する。
【背景技術】
【０００２】
従来、プリンタ部に電子写真方式を採用した多機能処理装置（ＭＦＰ）では、画像形成時に大電力を必要とする。特に消費電力が大きいのは、定着器や画像形成部、及び画像データを処理する回路などである。一方で、近年の省エネ意識の高まりや規制の強化等により、きめ細かい電力制御を行う必要性が高まっている。例えば、特許文献１には、ブレーカの定格に近づいたらユーザに通知したり、機器の電源をオフにすることが記載されている。更には、電力の需要量が増大して電力の供給能力がひっ迫してきた場合には、動的に電力供給量を変化させるとともに、電力を消費している機器の電源をオフすることで消費電力量を減らして電力ピークを抑える技術が考えられている。
【先行技術文献】
【特許文献】
【０００３】
【特許文献１】特開２０１０−１６１８４８号公報
【発明の概要】
【発明が解決しようとする課題】
【０００４】
しかしながら、このような状況の場合に問題になるのが、その機器を利用するユーザは、その機器の電源がオフされているのは、電力供給量がひっ迫しているためか、或いは、たまたま電源がオフにされているだけなのか区別できない点にある。更に、電力供給量がひっ迫しているために機器の電源がオフされているにも拘らず、ユーザがその機器の電源をオンにすることにより消費電力量が増大して、電力供給量を超えてしまう事態が発生する可能性がある。
【０００５】
本発明の目的は、上記従来の問題点を解決することにある。
【０００６】
本発明の目的は、電源供給量の変動に対応した画像形成装置が電源をオフにした状態の場合に、その電源オフの理由が電源供給量の変動に対応したためなのかどうかをユーザが把握できるようにすることにある。
【課題を解決するための手段】
【０００７】
上記目的を達成するために本発明の一態様に係る画像形成装置は以下のような構成を備える。即ち、
ネットワークに接続可能な画像形成装置であって、
電力制御を指示する電力制御信号を前記ネットワークを介して受信する受信手段と、
前記受信手段により受信した前記電力制御信号に応じて、前記画像形成装置の電源をオフにするシャットダウン手段と、
前記電力制御信号によって前記画像形成装置が電源オフとなったことを示す情報をユーザに提示する提示手段と、を有することを特徴とする。
【発明の効果】
【０００８】
本発明によれば、電源供給量の変動に対応した画像形成装置が電源をオフにした状態の場合に、その電源オフの理由が電源供給量の変動に対応したためなのかどうかをユーザが把握でき、ユーザがその装置の電源をオンしてよいかどうか判断できる。
【図面の簡単な説明】
【０００９】
【図１】実施形態１に係る情報処理システムの構成図。
【図２】実施形態１に係るＭＦＰの構成を示すブロック図。
【図３】実施形態１に係るＭＦＰの制御部の構成を説明するブロック図。
【図４】実施形態１におけるＭＦＰの制御部によるシャットダウン処理を説明するフローチャート。
【図５】実施形態１において、電力コントローラからネットワーク経由でＭＦＰに送信されるシャットダウン指示（電力制御信号）のための要求フレームワークの一例を示す図。
【図６】図４のＳ４０２で、プリンタ部が印刷した印刷物の一例を示す図。
【図７】実施形態２において、電力コントローラからネットワーク経由でＭＦＰに送信されるシャットダウン指示（電力制御信号）のための要求フレームワークの一例を示す図。
【図８】図４のＳ４０２に対応する実施形態２で、プリンタ部が印刷した印刷物の一例を示す図。
【図９】実施形態３におけるＭＦＰの制御部によるシャットダウン処理を説明するフローチャート。
【図１０】操作部の表示部が、電子ペーパーのような電源をオフにしても表示可能な表示装置である場合の表示例を示す図。
【図１１】実施形態４におけるＭＦＰの制御部によるシャットダウン処理を説明するフローチャート。
【図１２】図１１のＳ１１０５でシャットダウン処理を行った後、電力コントローラからシャットダウン指示を受信した場合の、実施形態４におけるＭＦＰの制御部によるシャットダウン処理を説明するフローチャート。
【発明を実施するための形態】
【００１０】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。尚、本実施形態では、画像形成装置の一例として、多機能処理装置（ＭＦＰ）を例に説明するが、本発明はこのようなＭＦＰに限定されるものではない。
【００１１】
［実施形態１］
実施形態１では、供給可能な電力供給量に対して電力需要量が増大したために電源をオフした複合機（多機能処理装置）が、その電源オフの理由が電源供給量の変動に対応したためであることを印刷物を利用してユーザに通知する例で説明する。
【００１２】
図１は、実施形態１に係る情報処理システムの構成図である。
【００１３】
このシステムでは、ＭＦＰ１０４，１０５やプリンタ１０６、ＦＡＸ１０７などの機器がネットワーク１０１に接続されている。このネットワークは、ここではＥｔｈｅｒｎｅｔ（登録商標）とする。本実施形態１は、ネットワークの種類に依存しないため、他の方式のネットワークでも適用可能である。ＰＣ１０２はユーザが使用するＰＣ（パーソナルコンピュータ）であり、ネットワーク１０１を介してＭＦＰ１０４，１０５やプリンタ１０６、ＦＡＸ１０７等の機器とのデータの送受信ができる。電力管理サーバ１０８は、電力会社側に存在する電力管理サーバで、電力利用者が利用可能な消費可能電力量を保持する。電力管理サーバ１０８は、外部ネットワーク１０９を経由して、ＭＦＰ１０４が接続されるネットワーク１０１と接続される。電力コントローラ１０３は、このシステム内の消費電力量を管理するサーバであり、電力管理サーバ１０８から取得した消費可能電力量を基に、電力量がひっ迫した場合に、このシステムに含まれる機器に対してシャットダウン指示を行う。
【００１４】
ＭＦＰ１０４，１０５はコピー、プリンタ、スキャナ等の機能が統合された複合機である。これらＭＦＰ１０４，１０５では、カラー印刷を行うか否かの設定やプリントスピード等の設定を行うことができ、その設定に応じて消費電力も大きく異なってくる。特に、トナーを熱定着させる電子写真方式のプリンタでは、定着器のヒータに多くの電力が必要になる。一般には、白黒印刷よりもカラー印刷の方が消費電力が多く、プリントスピードが速くなるほど消費電力は多くなる。プリンタ１０６、ＦＡＸ１０７はそれぞれ単機能の印刷機器及びファクシミリ機器である。
【００１５】
次に、実施形態１に係るＭＦＰ１０４の構造及び動作について説明する。本実施形態１は、ＭＦＰ１０５、プリンタ１０６、ＦＡＸ１０７にも適応可能であるが、ここではＭＦＰ１０４を例にとって説明する。
【００１６】
図２は、実施形態１に係るＭＦＰ１０４の構成を示すブロック図である。
【００１７】
制御部２０２は、このＭＦＰ１０４全体の動作を制御しており、データの送受信、データの変換、データの保存、電力制御等を行う。
【００１８】
ＭＦＰ１０４がプリント動作を行う場合は、ＰＣ１０２が印刷ジョブを生成し、その印刷ジョブをネットワーク１０１を介してＭＦＰ１０４に送信する。これにより制御部２０２は、その印刷ジョブを受信して一旦、制御部２０２内のメモリに保存し、制御部２０２は、その保存した印刷ジョブのデータを画像データに変換してプリンタ部２０４に出力する。プリンタ部２０４は、制御部２０２の制御の下で、その画像データに基づいてシート（用紙）に画像を印刷し、その印刷済のシートを排出する。
【００１９】
ＭＦＰ１０４がスキャン動作を行う場合を説明する。この場合は、ユーザが原稿をスキャナ部２０３にセットした後、操作部２０１の画面を参照しながらボタンを操作することによりスキャン動作の設定を行う。そして操作部２０１のスタートボタンが押下されるとスキャン動作が開始され、制御部２０２の制御の下で、スキャナ部２０３は原稿を光学的に読み取って画像データに変換する。制御部２０２は、こうして得られた画像データを一旦保存した後、予め操作部２０１で指定した設定内容に従ってデータ形式を変換して送信先に転送する。
【００２０】
またＭＦＰ１０４がコピー動作を行う場合は、ユーザが原稿をスキャナ部２０３にセットした後、操作部２０１の画面を参照しながらボタンを操作してコピー動作を設定する。そして操作部２０１のスタートボタンが押下されるとコピー動作が開始される。スキャナ部２０３は、制御部２０２の制御の下で原稿を光学的に読み取って画像データに変換する。この画像データは制御部２０２内のメモリに保存された後、制御部２０２が、そのデータ形式を変換してプリンタ部２０４に出力する。プリンタ部２０４は、その画像データに基づいて画像をシート上に印刷し、その印刷済のシートをＭＦＰ１０４の外に排出する。
【００２１】
電源部２０５は、電源プラグ２０６から供給される商用電源を、ＭＦＰ１０４の各部で使用する電圧に変換する。電源スイッチ２１０は、このＭＦＰ１０４の電源をオン／オフするためのスイッチであり、電源を投入するためには、ユーザの操作によって電源スイッチ２１０をオン状態にする。制御部２０２と電源スイッチ２１０の間は制御線２１１で接続されており、制御部２０２はこの制御線２１１によりＭＦＰ１０４の電源をオフすることができる。
【００２２】
シャットダウン処理が完了した後、制御部２０２のＣＰＵ３０２（図３）は、この制御線２１１の信号を変化させることにより電源スイッチ２１０をオフすることができ、このときＭＦＰ１０４が完全に電源オフの状態になる。電源スイッチ２１０は、制御線２１１から電流が流れ込むことにより電源供給をオフにできるソレノイド式のスイッチである。スイッチ２０７，２０８，２０９は、制御部２０２からの信号に基づき、各部への電力供給をオン／オフする。ここでスイッチ２０７は、電源部２０５から操作部２０１への電力供給をオン／オフする。スイッチ２０８は、電源部２０５からスキャナ部２０３への電力供給をオン／オフする。更にスイッチ２０９は、電源部２０５からプリンタ部２０４への電力供給をオン／オフする。
【００２３】
図３は、実施形態１に係るＭＦＰ１０４の制御部２０２の構成を説明するブロック図である。
【００２４】
制御部２０２を制御するＣＰＵ３０２は、不揮発メモリであるプログラムメモリ３０５に記憶されたプログラムを実行し、汎用メモリ３０７を一時記憶領域として各種処理を行う。またＣＰＵ３０２は、ネットワークＩ／Ｆ３０１、スキャナ部２０３と通信を行うスキャナＩ／Ｆ３０３、操作部２０１と通信を行う操作部Ｉ／Ｆ３０４、プリンタ部２０４と通信を行うプリンタＩ／Ｆ３０６と、内部バス３０９を介して接続されている。更に、ＣＰＵ３０２は、内部バス３０９を介して時計３０８、電源制御Ｉ／Ｆ３１０及び不揮発性メモリ３１１等と接続されている。時計３０８は、計時の精度を保つため、ネットワーク１０１経由でＮＴＰ（Ｎｅｔｗｏｒｋ  Ｔｉｍｅ  Ｐｒｏｔｏｃｏｌ）方式によって定期的に時間を補正している。電源制御Ｉ／Ｆ３１０は、ＣＰＵ３０２の制御により、スイッチ２０７，２０８，２０９，２１０に対して、これらスイッチをオン／オフする制御信号を出力する出力ポートである。
【００２５】
いま、ＭＦＰ１０４がスリープモードにあるときは、ＣＰＵ３０２の制御により、スイッチ２０７，２０８，２０９がオフ状態にあり、操作部２０１、スキャナ部２０３及びプリンタ部２０４への電力供給が遮断されている。
【００２６】
スリープモードから通常状態への移行は、ネットワーク１０１を経由して印刷ジョブを受信するか、操作部２０１の電源ボタンの押下、時計３０８におけるアラームの発生等により起動される。これらの検知はＣＰＵ３０２が行い、その検知に応じて、スイッチ２０７，２０８，２０９を操作して、必要な部位への電源の投入を行う。印刷ジョブの実行が完了して、プリント動作が終了すると、再びスリープモードに移行する。以上がＭＦＰ１０４の構造及び動作説明の概要である。
【００２７】
図４は、実施形態１におけるＭＦＰ１０４の制御部２０２によるシャットダウン処理を説明するフローチャートである。このフローチャートを実行するプログラムはプログラムメモリ３０５に記憶されており、ＣＰＵ３０２がこのプログラムを実行することにより、この処理が実現できる。
【００２８】
この処理は、ユーザが操作部２０１を操作してシャットダウン指示を行うか、もしくはネットワーク１０１を経由して電力コントローラ１０３からシャットダウン指示を受け取ることにより開始される。まずＳ４０１でＣＰＵ３０２は、電力コントローラ１０３からのシャットダウン指示かどうかを判断する。電力コントローラ１０３からのシャットダウン指示であると判断した場合はＳ４０２に進み、そうでないときはＳ４０４に進む。Ｓ４０２でＣＰＵ３０２は、電力コントローラ１０３からの指示情報（要求フレームワーク：後述）をもとに、プリンタ部２０４に印刷指示を送信し、プリンタ部２０４はその情報を基に印刷する。そしてＳ４０３に進み、ＣＰＵ３０２は、プリンタ部２０４からの印刷完了通知を受け取る。次にＳ４０４に進みＣＰＵ３０２は、電源制御Ｉ／Ｆ３１０を介してスイッチ２０７，２０８，２０９，２１０への制御信号により、これらスイッチ２０７，２０８，２０９，２１０をオフにして、シャットダウン処理を終了する。これにより、ＭＦＰ１０４の電源がオフになる。尚、シャットダウン処理の後にＭＦＰ１０４が移行する電源オフの状態は、ＲＡＭなどの揮発性メモリを通電した状態である。この状態は、シャットダウン時にＲＡＭに記憶されたＯＳ等のステータス情報を用いて高速復帰可能なサスペンド状態を含む。更に、シャットダウン時にＨＤＤなどの不揮発性メモリに記憶されたＯＳ等のステータス情報を用いて高速復帰可能なハイバネーション状態をも含む。
【００２９】
一方、Ｓ４０１で、電力コントローラ１０３からのシャットダウン指示でないと判断した場合はＳ４０４に進む。Ｓ４０４ではＣＰＵ３０２は、ソレノイド式のスイッチ２０７，２０８，２０９，２１０を全てオフにして、制御部２０２、操作部２０１、スキャナ部２０３、プリンタ部２０４への電力供給をオフにする。
【００３０】
この処理により、電力コントローラ１０３からのシャットダウン指示によりシャットダウンを実行するときは、プリンタ部２０４により、電力コントローラ１０３からのシャットダウン指示による電源オフであることを示すメッセージ等を印刷する。これによりユーザは、シャットダウンがユーザの操作によるものか、電力コントローラ１０３からのシャットダウン指示によるものかを判別できる。
【００３１】
図５は、実施形態１において、電力コントローラ１０３からネットワーク１０１経由でＭＦＰ１０４に送信されるシャットダウン指示（電力制御信号）のための要求フレームワークの一例を示す図である。
【００３２】
図５において、５０１は送信元を表し、ここで「１」は、電力コントローラ１０３を示している。５０２は要求フレームワークの送信先を表し、ここで「２」は、ＭＦＰ１０４を示している。５０３は要求フレームワークを送信する先の機種の種別を示しており、ここでは「ＭＦＰ」がセットされている。５０４は要求フレームワークを受信した機種が制御する制御内容を示す。図５の例の場合は、シャットダウンを示す「シャットダウン」が記述されている。５０５は、この要求フレームワークに付随する追加情報で、制御内容の補足情報が記述されている。この場合、シャットダウン指示が解除される予定時刻が１６：００であることを表している。図５で示した要求フレームワークはあくまでも一例であり、この限りではない。
【００３３】
図６は、図４のＳ４０２で、プリンタ部２０４が印刷した印刷物の一例を示す図である。
【００３４】
図６では、印刷情報を３つの部分に分割して説明している。６０１は、現在電源がオフであることを伝えるための状態表示部分である。６０２は、電源がオフである理由、及び注意事項など表示する詳細表示部分である。６０３は、さらに補足情報として表示例を示し、ここでは、図５の補足情報５０５をもとに、電力供給量の復旧予定時刻が表示されている。
【００３５】
以上説明したように本実施形態１によれば、ＭＦＰの電源がオフされているとき、電力供給量がひっ迫したことによる電源オフであるか、ユーザの操作による電源オフかどうかを、そのＭＦＰで印刷された印刷物により識別できる。これによりユーザは、その印刷物の指示に従って、例えばＭＦＰの電源をオンしないようにしたり、或いは電力供給量が復帰する予定時刻まで待って電源をオンにする等の対処方法が可能となる。
【００３６】
［実施形態２］
実施形態２では、プリンタ部２０４が印刷する情報に同一エリアに存在している他のＭＦＰが利用できるかどうかを示す使用可否情報を付加する点について説明する。尚、実施形態２におけるシステム構成、ＭＦＰの構成などは前述の実施形態１と同じであるため、それらの説明を省略する。
【００３７】
図７は、実施形態２において、電力コントローラ１０３からネットワーク１０１経由でＭＦＰ１０４に送信されるシャットダウン指示（電力制御信号）のための要求フレームワークの一例を示す図である。
【００３８】
図５で示した要求フレームワークと比較すると、７０１，７０２，７０３，７０４は、図５の５０１，５０２，５０３，５０４と同じである。７０５には、制御内容の補足情報として、電力コントローラ１０３が管理する同じエリア内のＭＦＰの中で、他に利用可能なものはどれか、利用できないものはどれかという情報を含む。これを印刷物の備考情報として印刷することで、ユーザは、そのエリア内で、どのＭＦＰが使用可能であるかを知ることが可能となる。
【００３９】
図８は、図４のＳ４０２に対応する実施形態２で、プリンタ部２０４が印刷した印刷物の一例を示す図である。
【００４０】
ここでは図６と同様に、印刷情報を３つの部分に分割して説明している。８０１と８０２は、図６の６０１及び６０２と同様である。８０３は、さらに補足情報として、電力コントローラ１０３から受信する図７の７０５の情報に基づいて、電力コントローラ１０３が管理している、同じエリア内の他のＭＦＰの情報を表示する補足情報表示部である。
【００４１】
図８の８０３では、図７の７０５に対応して、同じフロアーにあるＭＦＰ（ＸＸＸ）が利用可能で、同じフロアーにあるＭＦＰ（ＹＹＹ）が利用できないことが印刷されている。
【００４２】
上述した実施形態１及び実施形態２では、ユーザに対して印刷物で情報を提示する構成で説明したが、このような情報の通知方法としては印刷物に限定するものではない。例えば、ＭＦＰに電子ペーパーのような電源をオフしても表示可能な表示装置を設け、ＭＦＰがシャットダウン処理を実行する前に、図６或いは図８のような内容を、その表示装置へ表示してからシャットダウンするような構成も考えられる。
【００４３】
図１０は、操作部２０１の表示部が、電子ペーパーのような電源をオフにしても表示可能な表示装置である場合の表示例を示す図である。
【００４４】
１００３は、テンキーやスタートキー等を含むハードキー部分を示している。表示部１００２は、電子ペーパーの表示部である。この部分に図６や図８のような情報を表示してＭＦＰ１０４の電源をオフにすることにより、電源をオフにした状態でもユーザに対して情報を通知することが可能となる。
【００４５】
以上説明したように実施形態２によれば、上記実施形態１の効果に加えて、同じエリア内にある、他の代替して印刷できるＭＦＰを把握できるので、急いで印刷したい場合などに便利である。
【００４６】
また、ユーザに対して情報を提示するために、電源がオフの間にも表示が可能な電子ペーパーのような表示装置を使用することにより、紙の消費量を抑えて資源を節約できるという効果がある。
【００４７】
［実施形態３］
実施形態３では、実施形態１の図６で説明した印刷物を排出する際に、よりユーザの目につきやすいようにするために、その印刷物の排出先であるビンを、最も上段にあるビンに指定する処理について説明する。尚、実施形態３におけるシステム構成、ＭＦＰの構成などは前述の実施形態１と同じであるため、それらの説明を省略する。
【００４８】
図９は、実施形態３におけるＭＦＰ１０４の制御部２０２によるシャットダウン処理を説明するフローチャートである。このフローチャートを実行するプログラムはプログラムメモリ３０５に記憶されており、ＣＰＵ３０２がこのプログラムを実行することにより、この処理が実現できる。尚、図９において、Ｓ９０１，Ｓ９０３〜Ｓ９０４の処理は、図４のＳ４０１、Ｓ４０３，Ｓ４０４と同じである。
【００４９】
この処理は、ユーザが操作部２０１を操作してシャットダウン指示を行うか、或いは、ネットワーク１０１を経由して電力コントローラ１０３からシャットダウン指示を受け取ることにより開始される。まずＳ９０１でＣＰＵ３０２は、電力コントローラ１０３からのシャットダウン指示かどうかを判断する。電力コントローラ１０３からのシャットダウン指示であると判断した場合はＳ９０２に進み、ＣＰＵ３０２は、電力コントローラ１０３からの指示情報をもとにプリンタ部２０４に印刷指示を送信する。その際、その印刷物が、よりユーザの目につきやすいようにするために、その印刷物を排出するビンを、複数のビンの中で最も上段にあるビンに指定する。これのよりプリンタ部２０４は、その情報を印刷し、その印刷物を指定されたビンに排出する。そしてＳ９０３に進み、ＣＰＵ３０２は、プリンタ部２０４からの印刷完了通知を受け取る。そしてＳ９０４に進み、ＣＰＵ３０２は、スイッチ２０７，２０８，２０９，２１０をオフにして、シャットダウン処理を終了する。またＳ９０１で、電力コントローラ１０３からのシャットダウン指示でないときはＳ９０４に進み、ＣＰＵ３０２は、全てのスイッチ２０７，２０８，２０９，２１０をオフにしてシャットダウン処理を終了する。
【００５０】
以上説明したように本実施形態３によれば、ユーザに対して情報を提示するための印刷物を、ユーザが最も目につきやすい場所に排出することにより、ユーザは、ＭＦＰの電源がオフされている理由を、より確実に把握できるという効果がある。
【００５１】
［実施形態４］
実施形態４では、電力コントローラ１０３からシャットダウンの指示情報を受けた時に、既にＭＦＰ１０４の電源がオフになっていた場合の処理について説明する。尚、実施形態４におけるシステム構成、ＭＦＰの構成などは前述の実施形態１と同じであるため、それらの説明を省略する。
【００５２】
図１１は、実施形態４におけるＭＦＰ１０４の制御部２０２によるシャットダウン処理を説明するフローチャートである。このフローチャートを実行するプログラムはプログラムメモリ３０５に記憶されており、ＣＰＵ３０２がこのプログラムを実行することにより、この処理が実現できる。
【００５３】
この処理はユーザが操作部２０１を操作してシャットダウン指示を行うか、或いはネットワーク１０１を経由して電力コントローラ１０３からシャットダウン指示を受け取ることにより開始される。まずＳ１１０１でＣＰＵ３０２は、電力コントローラ１０３からのシャットダウン指示かどうかを判断する。電力コントローラ１０３からのシャットダウン指示であると判断した場合はＳ１１０２に進み、電力コントローラ１０３からのシャットダウン指示ではないと判断した場合はＳ１１０５に進む。Ｓ１１０２でＣＰＵ３０２は、電力コントローラ１０３からの指示情報をもとにプリンタ部２０４に印刷指示を出力する。これによりプリンタ部２０４はその情報を印刷する。そしてＳ１１０３に進みＣＰＵ３０２は、プリンタ部２０４からの印刷完了通知を受け取る。そしてＳ１１０４に進みＣＰＵ３０２は、スイッチ２０７，２０８，２０９，２１０をオフにしてシャットダウン処理を終了する。
【００５４】
一方、電力コントローラ１０３からのシャットダウン指示ではないと判断した場合はＳ１１０５で、ＣＰＵ３０２は、スイッチ２０７，２０８，２０９をオフにする。更に、スイッチ２１０をオンの状態にしＣＰＵ３０２に電力が供給される状態にして、シャットダウン処理を終了する。
【００５５】
このように、電力コントローラ１０３からのシャットダウン指示の場合は、ＭＦＰ１０４は完全にシャットダウンされるが、ユーザが操作部２０１を操作して行ったシャットダウン指示の場合は、制御部２０２に通電した状態でシャットダウンする。
【００５６】
図１２は、図１１のＳ１１０５でシャットダウン処理を行った後、電力コントローラ１０３からシャットダウン指示を受信した場合の、実施形態４におけるＭＦＰ１０４の制御部２０２によるシャットダウン処理を説明するフローチャートである。このフローチャートを実行するプログラムはプログラムメモリ３０５に記憶されており、ＣＰＵ３０２がこのプログラムを実行することにより、この処理が実現できる。
【００５７】
まずＳ１２０１で、ＣＰＵ３０２は、ネットワーク１０１を経由して電力コントローラ１０３からシャットダウン指示を受け取ったかどうかを判断する。受け取っていない場合はＳ１２０１に戻るが、受け取った場合はＳ１２０２に進む。Ｓ１２０２でＣＰＵ３０２は、スイッチ２０９をオンにしてプリンタ部２０４に通電する。次にＳ１２０３に進み、ＣＰＵ３０２は、電力コントローラ１０３からの指示情報をもとにプリンタ部２０４に印刷指示を送信する。これによりプリンタ部２０４はその情報を印刷する。そしてＳ１２０４に進み、ＣＰＵ３０２は、プリンタ部２０４から印刷完了通知を受け取る。そしてＳ１２０５に進みＣＰＵ３０２は、スイッチ２０７，２０８，２０９，２１０を全てオフにして、シャットダウン処理を終了する。
【００５８】
以上説明したように実施形態４によれば、電力コントローラ１０３からのシャットダウン指示によらないシャットダウンの場合には、制御部２０２に通電した状態でシャットダウンを行う。従って、この状態で電力コントローラ１０３からシャットダウン指示を受け取っても、一時的にプリンタ部２０４に通電して、前述した印刷物を出力することができる。これによりユーザは、ＭＦＰが電源オフの状態の場合に、そのＭＦＰの電源をオンしても良いかどうかを知ることができる。
【００５９】
尚、上記実施形態では、実施形態１〜４のそれぞれを単独で説明したが、各実施形態の構成を適宜組み合わせても良い。例えば、実施形態４の印刷に代えて、実施形態２の電子ペーパーなどの表示装置への表示を採用しても良い。
【００６０】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2014075925.tif 000003
【図２】
2014075925.tif 000004
【図３】
2014075925.tif 000005
【図４】
2014075925.tif 000006
【図５】
2014075925.tif 000007
【図６】
2014075925.tif 000008
【図７】
2014075925.tif 000009
【図８】
2014075925.tif 000010
【図９】
2014075925.tif 000011
【図１０】
2014075925.tif 000012
【図１１】
2014075925.tif 000013
【図１２】
2014075925.tif 000014